(57)【要約】本発明は、弓鋸１０のフレーム１２、特に、ハンドル形成部１４を提供し、伸長形成部１６の両側部に線形端縁２４を画成する肩形成部２２を画成し、伸長形成部１６の作用可能な外端縁２６が肩形成部２２に対し垂直に伸びている。従って、弓鋸１０のフレーム１２は、従来のＬ字形の直角定規として使用することができる。
2004517743.tif 000002
【特許請求の範囲】
【請求項１】
弓鋸フレームにおいて、該フレームの一端のハンドル形成部と、ハンドル形成部から遠方に配置された自由端まで伸びる伸長形成部と、該伸長形成部の前記自由端に設けられた定着形成部と、フレームのハンドル形成部の端部に設けられた定着形成部とを備え、該定着形成部が弓鋸ブレードをフレームにわたって緊張させることを許容し、フレームのハンドル形成部が伸長形成部に対し肩形成部を画成し、伸長形成部が前記肩形成部に対し垂直に配置された長手方向端縁を画成し、フレームを直角定規として使用することを許容するようにした、弓鋸フレーム。
【請求項２】
請求項１に記載の弓鋸フレームにおいて、特に、ハンドル形成部により画成された肩形成部に対し垂直に配置された伸長形成部により画成された長手方向端縁が、伸長形成部の作用可能な外端縁部分であり、弓鋸のフレームをＬ字形直角定規として使用することを許容する、弓鋸フレーム。
【請求項３】
請求項１又は２に記載の弓鋸フレームにおいて、ハンドル形成部が、伸長形成部の両側部に肩形成部を形成し、直角定規として使用されるとき、フレームが反転不能であるようにする、弓鋸フレーム。
【請求項４】
請求項１から３までの任意の一項に記載の弓鋸フレームにおいて、フレームのハンドル形成部から伸びるフレームの伸長形成部が、該伸長形成部をスケールとして使用することを許容するように施された標記を有する、弓鋸フレーム。
【請求項５】
請求項１から４までの任意の一項に記載の弓鋸フレームにおいて、伸長形成部が、ハンドル形成部から遠方に配置されたその端部付近に四半円部分を画成し、クロス部材が、四半円部分がクロス部材と組み合わさって、特に、四半円部分及びクロス部材に施された適宜な標記の助力により伸延器として使用可能であるような形態にて四半円部分にわたって伸びるようにした、弓鋸フレーム。
【請求項６】
請求項１から５までの任意の一項に記載の弓鋸フレームにおいて、伸長形成部が、その両端間の位置に配置された第１泡水準器を有し、フレームを水準器として使用することを許容するようにした、弓鋸フレーム。
【請求項７】
請求項６に記載の弓鋸フレームにおいて、ハンドル形成部が、フレームを相互に直交する方向に向けて水準器として使用することを許容し得るように肩形成部に対しある方向に向けて配置された第２泡水準器管を有する、弓鋸フレーム。
【請求項８】
請求項１から７までの任意の一項に記載の弓鋸フレームにおいて、フレームのハンドル形成部が３０°／６０°直角定規を画成し、フレームを３０°／６０°直角定規として使用することを許容するようにした、弓鋸フレーム。
【請求項９】
請求項８に記載の弓鋸フレームにおいて、ハンドル形成部が、仕事台又は被加工物の端縁に対し３０°／６０°直角定規を整合させるために使用される１つ又は１つ以上の突起を有する、弓鋸フレーム。
【請求項１０】
請求項９に記載の弓鋸フレームにおいて、１つ又は１つ以上の突起が、直角定規として使用されるとき、その端部に立てかけたとき、弓形鋸フレームを安定化させるために使用される、弓鋸フレーム。
【請求項１１】
請求項１から１０の任意の一項に記載のフレームを備える、弓鋸。
【請求項１２】
請求項１に記載の弓鋸フレームにおいて、図面に関して説明したものとほぼ同一である、弓鋸フレーム。
【請求項１３】
本明細書に記載したものとほぼ同一である新規な弓鋸フレーム。
【発明の詳細な説明】
【０００１】
【発明の分野】
本発明は、手工具に関する。
【０００２】
【発明の背景】
本発明は、特に、多目的とされた弓鋸の形態をした手工具に関する。弓鋸は、従来、スチール又は別の適宜な材料で出来たフレームを備えている。フレームは、それにより提供される隔たった定着位置の間にて緊張された狭小な焼入れスチールブレードを有している。フレームの一端は、ハンドルを備えており、これにより、ブレードが鋸引き動作を提供し得るよう弓鋸が変位可能である。
【０００３】
弓鋸の全体的な形態は周知であり、また、この形態が本発明の一部を形成しないから、これについては、本明細書にて更に詳細には説明しない。また、本明細書にて弓鋸に言及することは全て、その一端のハンドル形成部を具体化し、ハンドル形成部に対し配置された自由端までハンドル形成部から伸びる伸長形成部とを有し、伸長部分の上記自由端に画成された定着位置とフレームのハンドル形成部に画成された定着位置の間にてスチールブレードを緊張させ得るようにしたフレームを備える、従来型式の弓鋸を意味するものと解釈しなければならない。
【０００４】
【発明の概要】
本発明によれば、フレームを備える弓鋸であって、該フレームの一端のハンドル形成部と、ハンドル部分から遠方に配置された自由端まで伸びる伸長形成部とを備え、伸長形成部の上記自由端に設けられた定着部分とフレームのハンドル形成部に設けられた定着部分とを備え、弓鋸ブレードをフレームにわたって緊張させることを許容し、フレームのハンドル形成部が伸長形成部に対する肩形成部を画成し、伸長形成部がフレームを直角定規として使用することを許容し得るように上記肩形成部に対し垂直に配置された長手方向端縁を画成する弓鋸が提供される。
【０００５】
特に、ハンドル形成部によって画成された肩形成部に対し垂直に配置された伸長形成部によって画成され長手方向端縁は、伸長形成部の作用可能な外端縁部分であり、弓鋸のフレームをＬ字形の直角定規として使用することを許容する。
【０００６】
本発明の１つの好ましい実施の形態は、ハンドル形成部が伸長形成部の両側部に肩形成部を画成することを可能にし、直角定規として使用されるとき、フレームが反転不能であるようにする。特に、両方の肩形成部は、例えば、平面状の木材シート要素等の端縁に対して当接するように配置し、伸長形成部がシート要素にわたって上記端縁に対し９０°の角度で伸びて、これによりフレームを従来の直角定規として使用することを許容することができる。
【０００７】
フレームのハンドル形成部から伸びるフレームの伸長形成部には、伸長形成部を定規として使用することを許容する標記を施すことができる。特に、これらの標記はミリメートルの標記等から成るものとすることができる。
【０００８】
更に本発明によれば、伸長形成部は、ハンドル形成部から遠方に配置されたその端部付近に四半円部分を画成することができ、また、特に、四半円部分及びクロス部材に施された適宜な標記の助力を得て、四半円部分をクロス部材と組み合わさって伸延器として使用することができるような形態にてクロス部材が四半円部分にわたって伸びるようにすることができる。
【０００９】
更に、本発明によれば、伸長形成部は、その両端間の位置に配置された第１泡水準器を有し、弓鋸のフレーム、特に、その伸長形成部の一部を１つの水準器として使用することを許容する。ハンドル形成部は、フレームを相互に直交する方向に向けた水準器として使用することを許容し得るように肩形成部に対しある方向に向けて配置された第２泡水準管を備えることができる。
【００１０】
フレームのハンドル形成部は、３０°／６０°直角定規を更に画成し、弓鋸のフレームを３０°／６０°直角定規として使用することを許容する。
ハンドル形成部は、仕事台又は被加工物の端縁に対し３０°／６０°直角定規を整合させるために使用可能な１つ又は１つ以上の突起を有することができる。
【００１１】
これら１つ又は１つ以上の突起は、弓鋸フレームが直角定規として使用されるとき、その端部に立てかけたとき、弓鋸フレームを安定化させるために使用することができる。
【００１２】
このように、本発明の弓鋸は多目的工具として作用し、これにより、従来の弓鋸の作用を果たし、また、一般に、直角定規、水準器等の助力の下で、測定及び標記付与の目的を果たすことができる。
【００１３】
従って、本発明は、本明細書に記載したように、弓鋸用のフレームを備える多目的工具にも拡張可能であり、本発明は、また、かかる多目的工具にも拡張可能である。
【００１４】
本発明の更なる特徴は、単に一例として、概略添付図を参照しつつ、以下に説明する。
図面を参照すると、本発明による弓鋸が全体として参照番号１０で示されている。弓鋸１０は、スチール又は任意の適宜な材料で出来たフレーム１２を備えている。フレーム１２は、その一端にハンドル形成部１４を有し、また、ハンドル形成部１４から自由端１８まで伸びる伸長形成部１６を有している。自由端１８は、伸長形成部１６の上記自由端に設けられた定着位置とフレーム１２のハンドル形成部の端部位置２０に設けられた定着位置との間で弓鋸ブレード（図示せず）を緊張させることを許容する形態にてハンドル形成部１４に対し配置されている。弓鋸ブレードが図示した定着位置の間でフレーム１２にわたって緊張されたとき、弓鋸１０は、本明細書にて更に説明しない従来の仕方にて使用することができる。
【００１５】
本発明によれば、弓鋸１０のフレーム１２、特に、ハンドル形成部１４は、伸長形成部１６の両側部に線形端縁２４を画成する肩形成部２２を画成し、伸長形成部１６の作用可能な外端縁２６は、肩形成部２２に対し垂直に伸びている。従って、弓鋸のフレーム１２は、従来のＬ字形の直角定規として使用することができる。例えば、肩形成部２２は、平面状木材シート等の端縁に対して当接するように配置することができ、このことは、伸長形成部がシートをわたって上記端縁に対し９０°の角度で伸びることを可能にし、この９０°にて上記端縁に対し直線状に標記することを許容する。このことは、Ｌ字形直角定規の従来の用途を構成し、また、Ｌ字形直角定規以外の任意の目的に対し弓鋸１０のフレーム１２を明確に同様に使用することができる。
【００１６】
長手方向端縁２６を画成する伸長形成部１６の部分は、その長さに沿って施されたミリメートル標記２８を有しており、これにより、フレーム１２の伸長形成部１６を従来のスケールとして使用することも許容する。
【００１７】
更に、伸長形成部１６の隅部分３０は、四半円部分を画成し、また、該四半円部分３０を横断して伸びるクロス部材３２を有している。図示するように、標記３４を施したとき、四半円部分３０は、クロス部材３２と組み合わせて、伸延器として使用することができる。
【００１８】
更に、伸長形成部１６は、フレームを従来の水準器として使用することのできる形態にて配置された第１泡水準器管３６を有する一方、第２泡水準器管３８はハンドル形成部１４内に配置されて、フレーム１２が端縁２４の助力によって、その相互に直交する方向に向けて水準器として機能することを可能にする。
【００１９】
フレーム１２のハンドル形成部１４は、フレーム１２を、３０°／６０°直角定規として使用することを許容するように画成された３０°／６０°直角定規４０を更に有している。このように、弓鋸１０のフレーム１２は、弓鋸ブレードの支持体として作用するその基本的機能に加えて多数の機能を果たし得るようにされる。
【００２０】
ハンドル形成部１４は、弓鋸フレーム１２が平坦面に配置されたとき、Ｌ字形直角定規がその面に対し垂直となるような形態とされている。
弓鋸フレームは、上述した特徴と異なる特徴と関係付けることができることを理解しなければならない。また、本発明の弓鋸の形態は大幅に変更可能であり、本発明は、上述した弓鋸の原理を具体化するかかる全ての代替的な形態の弓鋸にも拡張される。
【図面の簡単な説明】
【図１】本発明による弓鋸の立面平面図である。
【図２】図１の弓鋸の平面図である。
【国際公開パンフレット】
2004517743.tif 000003
2004517743.tif 000004
2004517743.tif 000005
2004517743.tif 000006
2004517743.tif 000007
2004517743.tif 000008
2004517743.tif 000009
2004517743.tif 000010
2004517743.tif 000011
【国際公開パンフレット（コレクトバージョン）】
2004517743.tif 000012
【国際調査報告】
2004517743.tif 000013
2004517743.tif 000014
2004517743.tif 000015